(57)【要約】【課題】電線の取り回しを良好に確保しつつホルダにハウジングをその後面側から装着できるようにする。【解決手段】コネクタは、電線Ｗの端末に接続された雌側端子金具１１０を収容可能であって後面から電線Ｗが引き出される雌側ハウジング１０と、雌側ハウジング１０が装着されるホルダ９０とを備えている。雌側ハウジング１０の後面には、電線Ｗの周りを包囲するように配される突板部３２が後方へ突出して設けられている。突板部３２は、その後端側からホルダ９０内に挿入保持される。ホルダ９０には、電線Ｗを外部に導出する電線導出口９９が前後方向と交差する方向に開口して形成されている。【選択図】図３
2010129527.tif 000002
【特許請求の範囲】
【請求項１】
電線の端末に接続された端子金具を収容可能であって後面から前記電線が引き出されるハウジングと、前記ハウジングが装着されるホルダとを備え、
前記ハウジングの後面には、前記電線の周りを包囲するように配される突板部が後方へ突出して設けられ、
前記突板部は、その後端側から取付対象に設けられたホルダ内に挿入保持され、
前記ホルダには、前記電線を外部に導出する電線導出口が前後方向と交差する方向に開口して形成されていることを特徴とするコネクタ。
【請求項２】
前記突板部には、前記電線を外部に導出するハウジング側電線導出口が前後方向と交差する方向に開口して形成されていることを特徴とする請求項１記載のコネクタ。
【請求項３】
前記突板部は、第１板と、前記第１板と交差する方向に連結されて自由端を有する第２板とからなることを特徴とする請求項１又は２記載のコネクタ。
【請求項４】
前記ホルダには、前記第２板の内面と当接可能に配されて、前記第２板の前記電線側への内倒れを規制する倒れ規制部が設けられていることを特徴とする請求項３記載のコネクタ。
【請求項５】
前記ホルダにはホルダロック受部が設けられ、前記突板部にはホルダロック部が設けられており、前記ホルダロック受部と前記ホルダロック部とが互いに係止されることで、前記ホルダと前記ハウジングとが互いの離脱を規制されるようになっており、かつ、
前記ホルダには、前記倒れ規制部を含む壁によって前記第２板を挿入可能な第２板収容凹部が画成されており、
前記第２板の前記第２板収容凹部への挿入によって前記突板部の位置決めがなされ、その状態で前記ホルダロック受部と前記ホルダロック部との係止動作がなされることを特徴とする請求項４記載のコネクタ。
【発明の詳細な説明】
【技術分野】
【０００１】
本発明は、コネクタに関する。
【背景技術】
【０００２】
特許文献１には、車両のドアミラーに内蔵されるコネクタが開示されている。このコネクタは、電線の端末に接続された端子金具を収容可能なハウジングと、ハウジングが装着されるホルダとを備え、ハウジングを装着したホルダが取付対象のドアミラーに固定されるようになっている。
【０００３】
ホルダは、前後両面と一側面とが開放された箱形状をなし、その一側面開口部を通して内部にハウジングが挿入可能とされている。ホルダに装着されたハウジングは、ホルダの前面開口部を通して相手ハウジングとの嵌合動作を行い、またホルダの後面開口部を通してその後面から延びる電線を外部に導出させている。
【特許文献１】特開２００８−６５９８５公報
【発明の開示】
【発明が解決しようとする課題】
【０００４】
ところで、取付状況等によっては、ホルダにハウジングをその後面側から装着して、電線を前後方向と交差する方向に導出させたい場合があった。しかるに上記形態のホルダでは、そのような使用態様に対応することができなかった。またこの場合に、ハウジングの後面からは電線が引き出されるため、ハウジングの後面とホルダとの間に十分なスペースが確保されていないと、電線が無理曲げされてその取り回しにも難渋するおそれがあった。
【０００５】
本発明は上記のような事情に基づいて完成されたものであって、電線の取り回しを良好に確保しつつホルダにハウジングをその後面側から装着できるようにすることを目的とする。
【課題を解決するための手段】
【０００６】
上記の目的を達成するための手段として、請求項１の発明は、電線の端末に接続された端子金具を収容可能であって後面から前記電線が引き出されるハウジングと、前記ハウジングが装着されるホルダとを備え、前記ハウジングの後面には、前記電線の周りを包囲するように配される突板部が後方へ突出して設けられ、前記突板部は、その後端側から取付対象に設けられたホルダ内に挿入保持され、前記ホルダには、前記電線を外部に導出する電線導出口が前後方向と交差する方向に開口して形成されている構成としたところに特徴を有する。
【０００７】
請求項２の発明は、請求項１に記載のものにおいて、前記突板部には、前記電線を外部に導出するハウジング側電線導出口が前後方向と交差する方向に開口して形成されているところに特徴を有する。
【０００８】
請求項３の発明は、請求項１又は２に記載のものにおいて、前記突板部は、第１板と、前記第１板と交差する方向に連結されて自由端を有する第２板とからなるところに特徴を有する。
【０００９】
請求項４の発明は、請求項３に記載のものにおいて、前記ホルダには、前記第２板の内面と当接可能に配されて、前記第２板の前記電線側への内倒れを規制する倒れ規制部が設けられているところに特徴を有する。
【００１０】
請求項５の発明は、請求項４に記載のものにおいて、前記ホルダにはホルダロック受部が設けられ、前記突板部にはホルダロック部が設けられており、前記ホルダロック受部と前記ホルダロック部とが互いに係止されることで、前記ホルダと前記ハウジングとが互いの離脱を規制されるようになっており、かつ、前記ホルダには、前記倒れ規制部を含む壁によって前記第２板を挿入可能な第２板収容凹部が画成されており、前記第２板の前記第２板収容凹部への挿入によって前記突板部の位置決めがなされ、その状態で前記ホルダロック受部と前記ホルダロック部との係止動作がなされるところに特徴を有する。
【発明の効果】
【００１１】
＜請求項１の発明＞
ハウジングの後面には突板部が後方へ突出して設けられ、突板部はその後端側から取付対象に設けられたホルダ内に挿入保持されるから、ホルダにハウジングをその後面側から装着することができる。また、ハウジングの後面とホルダとの間に突板部が設けられ、電線導出口がホルダに開口して形成されているから、突板部及びホルダ内にて電線の取り回しスペースを十分に確保することができる。
【００１２】
＜請求項２の発明＞
電線は、電線導出口とハウジング側電線導出口の両方から導出可能とされるため、電線導出口のみから導出されるよりも突板部及びホルダ内にて無理曲げされ難く、その取り回しの自由度が高められる。
【００１３】
＜請求項３の発明＞
突板部が第１板と第１板と交差する方向に連結されて自由端を有する第２板とからなるため、構成の簡素化が実現される。
【００１４】
＜請求項４の発明＞
第２板は、自由端を有するため、第１板との連結端を略支点として撓み変形等する可能性がある。しかるに本発明によれば、ホルダに、第２板の電線側への内倒れを規制する倒れ防止部が設けられているから、突板部のホルダへの装着によって第２板が変形するのが回避され、ハウジングのホルダへの組付信頼性が高められる。
【００１５】
＜請求項５の発明＞
小型化の要請等に起因して突板部の板厚寸法が小さい場合には、突板部の剛性が低下するのを避け得ない。このため、突板部のホルダへの装着過程で突板部が変形し、ホルダロック受部とホルダロック部とが正規のロック位置から位置ずれして、ロック信頼性が低下する可能性がある。しかるに本発明によれば、第２板の第２板収容凹部への挿入によって突板部の位置決めがなされ、その状態でホルダロック受部とホルダロック部との係止動作がなされるから、ホルダロック受部とホルダロック部とが正規のロック位置に確実に至らしめられ、ロック信頼性が高められる。
【発明を実施するための最良の形態】
【００１６】
＜実施形態１＞
本発明の実施形態１を図１ないし図２０によって説明する。本実施形態に係るコネクタは、雌雄一対のハウジング１０、４０、リテーナ７０Ａ、７０Ｂ、ホルダ９０及び雌雄一対の端子金具１１０、１４０を備えて構成されている。雌側ハウジング１０はドアミラー等の車体側の取付対象に一体に設けられたホルダ９０に装着された状態で雄側ハウジング４０と嵌合可能とされている。なお、以下の説明において、前後方向については両ハウジング１０、４０の互いの嵌合面側を前方とし、上下方向については図１を基準とする。
【００１７】
雌側ハウジング１０は合成樹脂製であって、ブロック状のハウジング本体１１を有している。ハウジング本体１１は、図１０に示すように、大まかにいって断面長方形状をなし、その両側面が上下方向（高さ方向）に互いに平行に配される一対の長辺部１２とされ、その上下両面が左右方向（幅方向）に互いに平行に配される一対の短辺部１３とされている。
【００１８】
ハウジング本体１１の外面の角部は、面取りが施された面取り部１４、１５とされている。具体的には、４つの角部のうち、ハウジング本体１１の上面両端の面取り部１４が互いに同形状とされ、ハウジング本体１１の下面両端の面取り部１５が互いに同形状とされ、対角上に位置する上面両端の面取り部１４と下面両端の面取り部１５とが互いに異形状とされており、各面取り部１４、１５がハウジング本体１１の前後方向の全長に亘って形成されている。
【００１９】
上面両端の面取り部１４は、高さ方向（後述するリテーナ７０Ａのリテーナ装着孔２８への挿入方向と同義）に対する傾斜角が比較的大きく、幅方向に対する傾斜角が比較的小さくされたテーパ状の緩傾斜部１４とされ、下面両端の面取り部１５は、高さ方向に対する傾斜角が比較的小さく、幅方向に対する傾斜角が比較的大きくされたテーパ状の急傾斜部１５とされている。また、ハウジング本体１１の両側面には、緩傾斜部１４と急傾斜部１５との間に、括れ状の凹所１６が設けられ、この凹所１６の上下両面はテーパ状の斜面とされ、この斜面の傾斜角は緩傾斜部１４の傾斜角とほぼ同じとされている。
【００２０】
ハウジング本体１１の上面の幅方向中央部には、雄側ハウジング４０を嵌合状態に保持するためのロック受部１７が台状に突出して設けられている。ロック受部１７の前面は後方に向けて上り勾配となる案内斜面とされ、ロック受部１７の後面は略垂直に切り立つ係止面とされている。ハウジング本体１１の上面のうちロック受部１７の直後方には、後述するロック部５０のロック爪５４が当接可能な扁平状の台部１８が設けられ、台部１８の上面は、周囲の上面よりも一段高い位置に配されたフラット面とされている。また、ハウジング本体１１の上面は、ロック受部１７及び台部１８の形成部位を除いてほぼ同一高さで連なるフラット面とされている。
【００２１】
ハウジング本体１１の内部には、図１７に示すように、雌側端子金具１１０を収容可能な複数のキャビティ１９が前後方向に設けられている。キャビティ１９は高さ方向に複数段でかつ幅方向に複数列に分かれて配されている。キャビティ１９の前面は相手の雄側端子金具１４０のタブ１４２（後述する）が挿入されるタブ挿入口２０とされ、ハウジング本体１１の前面には、タブ挿入口２０の周りを全周に亘って取り囲むとともに、前方へ向かってラッパ状に拡開するタブ１４２の誘い込み部２１が設けられている。一方、ハウジング本体１１の後面は、雌側端子金具１１０に接続された電線Ｗが引き出される電線引出面とされている。
【００２２】
そして、図１０に示すように、幅方向に隣接するキャビティ１９同士は高さ方向に並列に延びる複数の縦壁（隔壁２２）によって仕切られ、高さ方向に隣接するキャビティ１９同士は幅方向に並列に延びる複数の横壁２３によって仕切られている。キャビティ１９の内壁下面には、撓み可能なランス２４が設けられている。ランス２４は前後両端が支持された両持ち梁状をなし、その前端支持部が二股状に分かれて配されている。ランス２４の上面には係止突起２５が設けられ、この係止突起２５が雌側端子金具１１０を弾性的に係止することで、雌側端子金具１１０がキャビティ１９内に一次的に抜け止めされるようになっている。
【００２３】
各ランス２４のうち最下段に位置するランス２４の先端部は、図１４に示すように、雌側ハウジング１０の下面に開設された切欠部２６を通して外部に露出されている。撓み状態にあるランス２４の先端部は切欠部２６に進入可能に配されており、ランス２４の撓み空間を画成する壁を有しない分、雌側ハウジング１０の低背化が実現されている。
【００２４】
ハウジング本体１１の下面には、図１０に示すように、その幅方向中央よりも一側寄りの位置でかつ２つの隔壁２２のうちの一方の隔壁２２と対応する位置に、雌側ハウジング１０が雄側ハウジング４０に誤って嵌合されるのを規制する誤嵌合防止部２７が下向きに突出して設けられている。誤嵌合防止部２７は、隔壁２２から連続して高さ方向に延びるとともに、雌側ハウジング１０の前端よりも少し後退した位置から後方へ向けて延びるリブ状をなしている。誤嵌合防止部２７の後端は後述するリテーナ装着孔２８の前端よりも前方に位置している。また、誤嵌合防止部２７の幅方向両側には、この誤嵌合防止部２７と平行に並ぶようにして上記の切欠部２６が配されている。
【００２５】
なお、本実施形態には、図１１に示すように、誤嵌合防止部２７の配設位置のみ異なる上記とは別の雌側ハウジング１０Ａが用意されている。具体的には、この別の雌側ハウジング１０Ａの下面には、その幅方向中央よりも他側寄りの位置でかつ２つの隔壁２２のうちの他方の隔壁２２と対応する位置に、上記と同形状の誤嵌合防止部２７が突出して設けられている。したがって、両雌側ハウジング１０、１０Ａは誤嵌合防止部２７によって互いの構造が識別されるようになっている。
【００２６】
ハウジング本体１１の下面には、図１７に示すように、全キャビティ１９に通じる深さをもったリテーナ装着孔２８が凹設されている。リテーナ装着孔２８はハウジング本体１１の下面から両側面の下端側にかけて開口する形状とされ、ここには下方からリテーナ７０Ａが挿入可能とされている。リテーナ装着孔２８の内面のうち、奥側（上端側）の前面の幅方向両端部には、図１５に示すように、リテーナ７０Ａを移動規制状態に保持する一対の第１係止部２９が突出して設けられ、これと対向する後面には同じくリテーナ７０Ａを移動規制状態に保持する一対の第２係止部３０が突出して設けられている。第１係止部２９は第２係止部３０よりも上方に段違い状に配されており、ハウジング本体１１の後部には、第１係止部２９を成形する際に金型が抜かれることによってなる型抜き孔３１が後面に開口して設けられている。図１２に示すように、第１係止部２９は型抜き孔３１を通して後方から視認可能とされている。また、第２係止部３０の上面は型抜き孔３１の内下面と面一で連続している。
【００２７】
第１係止部２９は、緩傾斜部１４の内側に近接して設けられ、具体的には、高さ方向に関してハウジング本体１１の中央よりも緩傾斜部１４寄りの位置でかつ幅方向に関して緩傾斜部１４と重なり合う位置に配されている。第１係止部２９の外側には緩傾斜部１４の内側において急傾斜部１５と比べて増肉された領域Ｐが確保されており、これによって第１係止部２９の形成に伴うハウジング本体１１の剛性低下が回避されている。
【００２８】
また、雌側ハウジング１０は、ハウジング本体１１の後端に一体に連なって後方へ突出する突板部３２を有している。具体的には、突板部３２は、電線引出面から引き出される電線Ｗの周りを包囲するように、電線Ｗとの干渉を回避した電線引出面の外周縁から突出する板状をなし、その後端側からホルダ９０内に挿入されるようになっている。より具体的には、突板部３２は、図９に示すように、ハウジング本体１１の上面に面一で連続する上面を有する第１板３３と、ハウジング本体１１の両側面に面一で連続する両側外面を有し、かつ第１板３３の幅方向両端に対して交差する方向に連結されて下方へ垂下される左右一対の第２板３４とからなり、全体として、後方及び下方が開放された門形枠状をなしている。本実施形態の場合には、小型化の要請等によって突板部３２の板厚が十分に小さくされており、これによって第２板３４は内外に撓み変形可能となっている。
【００２９】
突板部３２の外面のうち第１板３３と第２板３４との交差部位には、ハウジング本体１１からの緩傾斜部１４が面一で連続して設けられている。突板部３２の内面のうち第１板３３と第２板３４との交差部位には、緩傾斜部１４との間に板厚分の距離をおいて緩傾斜部１４と平行に配される内側傾斜部３５が設けられている。また、第２板３４の内面の上端側にはハウジング本体１１からの型抜き孔３１が連続して凹み形成され、この型抜き孔３１によって内側傾斜部３５が画成されている。
【００３０】
第１板３３と第２板３４の後端は前後方向に関して同じ位置に揃えられ、ここがホルダ９０に当て止めされる背面視門形の突き当て端面３６とされている。両第２板３４の下端はハウジング本体１１の両側面におけるリテーナ装着孔２８の上端とほぼ同じ高さ位置に揃えられ、図５に示すように、両下端間にはハウジング側電線導出口３７が保有されている。ハウジング本体１１の電線引出面から引き出された電線Ｗは、ホルダ９０及び突板部３２の内側にて強制的に屈曲変形され、ホルダ９０の電線導出口９９（後述する）及びハウジング側電線導出口３７を通して下方へ導出されるようになっている。第１板３３の上面の幅方向中央部には、雌側ハウジング１０をホルダ９０に離脱規制状態で保持するためのホルダロック部３８が突出して設けられている。ホルダロック部３８の後面は前方へ向けて上り勾配となる案内斜面とされ、ホルダロック部３８の前面は略垂直に切り立つ係止面とされている。ロック受部１７とホルダロック部３８とは互いに前後方向の同軸上に同幅をもって配され、ロック受部１７のほうがホルダロック部３８よりもやや大きくされている。
【００３１】
雌側端子金具１１０は、図１に示すように、導電性の金属板を曲げ加工等して一体に成形され、相手側のタブ１４２を受け入れてこれと接続される筒状の接続部１１１と、接続部１１１よりも後方に位置して電線Ｗの端末に接続されるオープンバレル状のバレル部１１２、１１３とからなる。バレル部１１２、１１３はさらに電線Ｗの端末芯線に接続されるワイヤバレル１１２と、その後方に位置して電線Ｗの端末被覆に接続されるインシュレーションバレル１１３とからなる。接続部１１１には係止突起２５を受けるランス孔１１４が開口して設けられ、また、接続部１１１の後端顎部１１５はリテーナ７０Ａに係止されるようになっている。
【００３２】
リテーナ７０Ａは合成樹脂製であって、図１４、図１５及び図１７に示すように、幅方向に延びる格子状のリテーナ本体部７１と、リテーナ本体部７１の幅方向両端に一体に接合されて上方へ突出する板状の側片部７２とからなる。リテーナ本体部７１には、中段及び下段の各キャビティ１９と対応する位置毎に、各キャビティ１９と連通可能な窓部７３が開設されている。窓部７３の内壁下面には雌側端子金具１１０の後端顎部１１５に係止可能な抜止部７４が突出して設けられている。この抜止部７４はリテーナ本体部７１の上端において上段の各キャビティ１９と対応する位置にも設けられている。
【００３３】
また、リテーナ７０Ａの下端部には、図１４に示すように、リテーナ装着孔２８の開口を通して外部に露出される露出部７５が設けられている。露出部７５の下端の前後両端縁は、リテーナ装着孔２８の開口の前後両端縁と対向して配され、そのエッジ部分に面取りが施されることにより、図１３に示すように、下向きに傾斜するテーパ状の斜面部７６が全幅に亘って構成されている。一方、リテーナ装着孔２８の開口の前後両端縁にも同様の下向きに傾斜するテーパ状の斜面部３９が全幅に亘って構成されており、両斜面部３９、７６間に凹み空間が保有されている。
【００３４】
両側片部７２の外面下端部には急傾斜部１５と対応する一対の切欠斜面７７が設けられており、後述する本係止位置において両側片部７２がハウジング本体１１の両側面より側方へ出っ張らないようにされている。そして、図１６に示すように、両側片部７２の前側には第１係止受部７８が上方へ撓み可能に突出して設けられ、両側片部７２の後側には第２係止受部７９が同じく上方へ撓み可能に突出して設けられている。両係止受部７８、７９の間には基部８０が設けられ、両係止受部７８、７９と基部８０との間には両係止受部７８、７９のそれぞれの撓み空間が保有されている。第１係止受部７８の上端部（突出端部）には、第１係止部２９に弾性的に係止可能な第１係止爪８１が前方へ突出して設けられ、第２係止受部７９の突出端部には、第２係止部３０に弾性的に係止可能な第２係止爪８２、８３が後方へ突出して設けられている。第２係止爪８２、８３はさらに上側係止爪８２と下側係止爪８３とに分かれている。
【００３５】
かかるリテーナ７０Ａは仮係止位置と本係止位置とに高さ方向に移動可能とされている。仮係止位置では、図１５に示すように、下側係止爪８３と上側係止爪８２との間に第２係止部３０が挟持されるとともに、第１係止爪８１の上面に第１係止部２９の下面が当接することで、リテーナ７０Ａが移動規制状態に保持される。この状態では、露出部７５がハウジング本体１１の下面よりも下方に位置し、かつ各抜止部７４がキャビティ１９から退避した位置にあって、雌側端子金具１１０のキャビティ１９への挿抜が許容される。一方、本係止位置では、図１６に示すように、第１係止爪８１の下面が第１係止部２９の上面に当接するとともに、下側係止爪８３の下面が第２係止部３０の上面に当接することで、リテーナ７０Ａが下方（仮係止位置側）へ戻り移動するのが規制される。この状態では、露出部７５がハウジング本体１１の内側に引っ込み、かつ、各抜止部７４がキャビティ１９内に進入して、キャビティ１９内に正規挿入された雌側端子金具１１０の後端顎部１１５に後方から係止可能に配され、もって雌側端子金具１１０が二次的に抜け止めされるようになっている。なお、上側係止爪８２と下側係止爪８３との間における内面は第２係止部３０の外面形状にほぼ適合する形状とされている。また、上記の露出部７５の下面は、リテーナ７０Ａの仮係止位置から本係止位置への移動の際に押圧される操作面として機能するようになっている。
【００３６】
ホルダ９０は合成樹脂製であって、図２０に示すように、前方及び下方が開放された略角筒状をなし、その内部には前方から雌側ハウジング１０の突板部３２を挿入可能な組付空間９１が保有されている。ホルダ９０の上壁９１の幅方向中央部には、ホルダロック部３８を案内する斜面の直後方に、ホルダロック部３８が嵌合可能な平面視略方形のホルダロック受部９２が貫通して設けられている。
【００３７】
また、ホルダ９０には、突板部３２の第２板３４を受け入れ可能な左右一対の第２板収容凹部９３が設けられている。第２板収容凹部９３は、略垂直に配される側壁９４と、側壁９４の下端に連なって略水平に配される下壁９５と、下壁９５の内端に連なって側壁９４と略平行に配される内壁９６とによって画成されており、側壁９４と内壁９６との間の距離は、第２板３４の板厚寸法と同じか又はそれより僅かに大きくされている。また、ホルダ９０には、側壁９４、下壁９５及び内壁９６の各後端に一体に接合して後面を閉止する左右一対の背壁９７が設けられている。
【００３８】
また、ホルダ９０には、電線Ｗを外部に導出する電線導出口９９が前後方向と直交する下方に開口して設けられている。具体的には電線導出口９９は、左右一対の下壁９５における互いに平行な対向縁間にてホルダ９０の前後方向の略全長に亘って配されている。突板部３２がホルダ９０に正規装着された状態では、電線導出口９９とハウジング側電線導出口３７とが前後方向に一部ラップしつつ並んで配されるようになっている。さらに、両側壁９４の高さ方向中央部には一対の耳部９８が設けられている。
【００３９】
ホルダ９０の組付空間９１への突板部３２の挿入過程では、突板部３２の両第２板３４が対応する第２板収容凹部９３内を位置決め状態で摺動可能に後進する。その後、ホルダ９０の組付空間９１に突板部３２が正規深さで挿入されると、突板部３２の位置決め状態が保たれつつホルダロック部３８とホルダロック受部９２とが弾性的に係止され、もって雌側ハウジング１０がホルダ９０に保持されるようになっている。この場合に、内壁９６は、第２板３４が内側（電線Ｗ側）に倒れ込むのを規制する倒れ防止部として機能するようになっている。
【００４０】
続いて雄側ハウジング４０について説明すると、雄側ハウジング４０は合成樹脂製であって、図１及び図１９に示すように、ブロック状の端子収容部４１と、端子収容部４１の前端から前方へ突出する略角筒状のフード部４２とからなる。雄側ハウジング４０の一側面には、ブラケットへの取付部４３が端子収容部４１とフード部４２とに跨って設けられている。
【００４１】
端子収容部４１には、雄側端子金具１４０を収容可能なキャビティ４４が前後方向に設けられている。キャビティ４４の内壁下面には雄側端子金具１４０を抜け止めするためのランス４５が撓み可能に設けられている。また、端子収容部４１の下面には、下方からリテーナ７０Ｂが装着されるリテーナ装着孔４６が開口して設けられている。なお、ランス４５及びリテーナ７０Ｂの形状は、既述したランス２４及びリテーナ７０Ａの形状と基本的に同じであり、重複する説明は省略する。
【００４２】
雄側端子金具１４０は導電性の金属板を曲げ加工等して一体に成形され、筒状の端子本体部１４１と、端子本体部１４１の前端から前方に突出する細棒状のタブ１４２と、端子本体部１４１よりも後方に位置して電線Ｗの端末芯線に接続されるワイヤバレル１４３と、その後方に位置して電線Ｗの端末被覆に接続されるインシュレーションバレル１４４とからなる。端子本体部１４１にはランス４５の係止突起４６を受けるランス孔１４５が開口して設けられ、また、端子本体部１４１の後端顎部１４６がリテーナ７０Ｂに係止されるようになっている。
【００４３】
フード部４２は、端子収容部４１の前方に位置してハウジング本体１１の外面形状と対応する内面形状を有するとともに、雌側ハウジング１０を位置決め状態で収容可能な嵌合凹部４７と、端子収容部４１の上面よりも上方に略門形に膨出されたロック部形成用凹部４８とからなり、両凹部４７、４８が高さ方向に連通する内部空間を共有している。ロック部形成用凹部４８と端子収容部４１との間にはロック受部１７を弾性的に係止することで両ハウジング１０、４０を離脱規制状態に保持するロック部５０が配設されている。ロック部５０は、端子収容部４１の上面前端に接続されて上方に立ち上がる脚部５１と、脚部５１の上端から前後両方向に延びるアーム部５２とからなり、脚部５１を支点としてアーム部５２が高さ方向に揺動変位可能（弾性変位可能）とされている。アーム部５２の後端部は端子収容部４１の上面上方に配され、ここには両ハウジング１０、４０の嵌合状態を解除する際に押圧される解除操作部５３が設けられている。また、アーム部５２の前端部はロック部形成用凹部４８内に配され、ここにはロック受部１７を係止可能なロック爪５４が下向き（嵌合凹部４７の嵌合空間６０側）に突出して設けられている。
【００４４】
嵌合凹部４７の内面には、面取り部１４、１５と対応する４つの角部を嵌合空間６０側に増肉することにより、面受部５５、５６が設けられている。面受部５５、５６は、フード部４２の前後方向の全長に亘って形成され、上面両端に位置して緩傾斜部１４と適合する一対の緩傾斜受部５５と、下面両端に位置して急傾斜部１５と適合する一対の急傾斜受部５６とからなる。もっとも、嵌合凹部４７の内面には凹所１６と適合する増肉部分を有しておらず、両ハウジング１０、４０の嵌合時には嵌合凹部４７の内面と凹所１６の内面との間に隙間が保有されるようになっている。
【００４５】
また、嵌合凹部４７の内面には、ロック部形成用凹部４８と対向する下面における幅方向中央よりも一側寄りの位置に、両ハウジング１０、４０の嵌合時に誤嵌合防止部２７を受け入れる誤嵌合防止受部５７が凹設されている。この誤嵌合防止受部５７は、誤嵌合防止部２７の外面形状と適合する略方形の内面形状を有し、フード部４２の前端から奥端寄りの位置にかけて誤嵌合防止部２７よりも長く延出して構成されている。なお、本実施形態には、誤嵌合防止受部５７の配設位置のみ異なる上記とは別の雄側ハウジング（図示せず）が用意されている。
【００４６】
さらに、ロック部形成用凹部４８の内面には、雌側ハウジング１０が正逆反転した姿勢でかつロック部形成用凹部４８の内側にせり出す斜め姿勢をとっている場合に、この雌側ハウジング１０の前端と干渉する規制部５８が設けられている。詳しくは規制部５８は、ロック部形成用凹部４８の両側内面における嵌合凹部４７の嵌合空間６０を臨む位置に対をなして配され、緩傾斜部１４の上端に連なりながら内側へ略水平に突出する形状をなしている。規制部５８とロック爪５４とは、高さ方向に関して互いに重なり合う位置関係にある。
【００４７】
次に、本実施形態に係るコネクタの作用について説明する。  
雌側ハウジング１０にリテーナ７０Ａを仮係止位置に留め置き、その状態で雌側ハウジング１０のキャビティ１９内に雌側端子金具１１０を挿入する。正規挿入された雌側端子金具１１０はランス２４によって一次的に抜け止めされる。全ての雌側端子金具１１０を挿入したら、今度はリテーナ７０Ａを本係止位置に押し込み、図１８に示すように、抜止部７４を雌側端子金具１１０の後端顎部１１５に対峙させることによって雌側端子金具１１０を二次的に抜け止めする。このとき、リテーナ７０Ａの露出部７５とリテーナ装着孔２８の開口の各対向縁には斜面部３９、７６が面取りされているため、ここに電線Ｗ等の異物が引っ掛かるのが防止される。同様に、雌側ハウジング１０のキャビティ１９内に雄側端子金具１４０を抜け止め状態で収容する。
【００４８】
続いて、パネル１００に開設された貫通孔１０１にその表面側から裏面側へと雌側ハウジング１０を挿通し、さらに裏面側にてホルダ９０の組付空間９１に雌側ハウジング１０をその後端側から後向きの状態で挿入する。雌側ハウジング１０の挿入過程では、図２に示すように、第２板３４が第２板収容凹部９３に位置決め状態で挿入され、これによって雌側ハウジング１０が高さ方向及び幅方向に位置ずれするのが規制され、ホルダロック部３８がホルダロック受部９２と対応（正対）する位置に誘導される。雌側ハウジング１０がホルダ９０に正規に装着されると、図３に示すように、ホルダロック部３８がホルダロック受部９２を弾性的に係止して雌側ハウジング１０のホルダ９０からの離脱が規制される。このとき、図５に示すように、ホルダ９０の背壁９７の前面には突板部３２の突き当て端面３６が当て止めされ、かつ取付対象及び背板９７には電線Ｗが当接して下方へ強制的に屈曲させられる。屈曲された電線Ｗはハウジング側電線導出口３７及び電線導出口９９を通して外部に導出される。また、雌側ハウジング１０がホルダ９０に正規に装着されると、図４に示すように、第２板３４は、側壁９４によって外側への撓み変形が規制されるとともに、内壁９６によって内側への撓み変形が規制され、かつ第２板収容凹部９３にほぼ密嵌状態で収容される。
【００４９】
ところで、上記の場合に、貫通孔１０１の裏面側に既に先行ハウジング（図示せず）が配されることにより、貫通孔１０１内に先行ハウジングから引き出された電線Ｗが束になって挿入されていると、貫通孔１０１内のハウジング挿通領域が圧迫されて上記の雌側ハウジング１０の挿通動作が規制されるおそれがある。しかるに本実施形態によれば、図８に示すように、雌側ハウジング１０には、その４角に面取り部１４、１５が施されているとともに、短辺部１３である下面に誤嵌合防止部２７が設けられているから、長辺部１２と電線Ｗとが対向するようにして、電線Ｗを避けながら雌側ハウジング１０の貫通孔１０１への挿通動作が許容される。特に、誤嵌合防止部２７がロック受部１７が突成されたハウジング本体１１の上面とは反対側の下面に設けられているから、ロック受部１７を挟んだ両側に誤嵌合防止部２７が設けられる場合と違って、誤嵌合防止部２７が貫通孔１０１の孔周りとの干渉を回避可能な位置に設けられることが可能となる。
【００５０】
続いて、上記の雌側ハウジング１０に雄側ハウジング４０を正対させ、その状態でハウジング本体１１をフード部４２内に嵌合する。このとき、雌側ハウジング１０が正規の嵌合姿勢をとっていれば、緩傾斜部１４及び急傾斜部１５がそれぞれ対応する緩傾斜受部５５及び急傾斜受部５６と適合して摺動可能とされ、その案内作用によって雌側ハウジング１０がフード部４２の奥側へと円滑に進入する。こうして雌側ハウジング１０が正規の嵌合状態に至ると、図１に示すように、ロック部５０がロック受部１７を弾性的に係止して両ハウジング１０、４０が離脱規制状態に保持される。このとき、フード部４２内にはハウジング本体１１の大部が嵌合され、突板部３２の全体はホルダ９０内に嵌合されている。
【００５１】
ところで、雌側ハウジング１０が正逆反転した姿勢をとって嵌合されようとすると、図６の二点鎖線で示すように、急傾斜部１５が緩傾斜受部５５と対向するとともに、緩傾斜部１４が急傾斜受部５６と対向するようにして、ハウジング本体１１の前端がフード部４２（嵌合凹部４７）の前端に突き当たり、もって両ハウジング１０、４０の嵌合動作が規制される。これにより、雌側ハウジング１０が正逆反転姿勢のまま雄側ハウジング４０に嵌合されてしまうのが回避される。
【００５２】
さらに、上記のように雌側ハウジング１０が正逆反転した姿勢をとりながらも無理やりこじ入れられようとすると、図７の二点鎖線で示すように、雌側ハウジング１０は、前後軸周りにローリングして斜め姿勢をとりながら嵌合凹部４７とロック部形成用凹部４８とに跨って両凹部４７、４８内に進入するおそれがある。しかるに本実施形態によれば、正逆反転姿勢でかつ斜め姿勢をとった雌側ハウジング１０は規制部５８と干渉してそれ以上の進入動作が規制されるから、雌側ハウジング１０が正逆反転姿勢のまま雄側ハウジング４０に嵌合されてしまうのがいっそう確実に回避される。
【００５３】
また、両ハウジング１０、４０の嵌合過程では、誤嵌合防止部２７が誤嵌合防止受部５７に摺動可能に進入し、さらに両ハウジング１０、４０の嵌合後には、誤嵌合防止部２７が誤嵌合防止受部５７内に嵌合状態で収容されるようになっている。このとき、誤って別の雌側ハウジング１０Ａが嵌合されようとすると、その誤嵌合防止部２７が誤嵌合防止受部５７に非対応となってフード部４２の前端に突き当たりそれ以上の嵌合動作が規制されるため、両ハウジング１０、４０が誤嵌合されることもない。
【００５４】
以上説明したように本実施形態によれば、次の効果を奏し得る。  
雌側ハウジング１０が正規の嵌合姿勢をとっていると、面取り部１４、１５がフード部４２の対応する部位に適合して両ハウジング１０、４０の嵌合動作が支障なく進行する。一方、雌側ハウジング１０が正逆反転した姿勢をとっていると、面取り部１４、１５がフード部４２の対応する部位に適合せずに両ハウジング１０、４０の嵌合動作が規制される。したがって、かかる状態を確認することにより、両ハウジング１０、４０の誤嵌合が防止される。この場合に、誤嵌合を防止する手段が面取り部１４、１５によって構成されているから、従来の突部と違って、雌側ハウジング１０が嵩張ることがなく、ひいては雄側ハウジング４０をも含めたコネクタ全体がコンパクトにまとめられる。
【００５５】
また、面取り部１４、１５が急傾斜部１５と緩傾斜部１４とを有し、第１係止部２９が緩傾斜部１４の内側に近接して設けられているから、緩傾斜部１４の内側における急傾斜部１５よりも増肉された領域Ｐが有効に活用され、スペース効率が良好となる。
【００５６】
また、リテーナ７０Ａの露出部７５とリテーナ装着孔２８の開口の互いの対向縁には斜面部３９、７６が面取りされているから、露出部７５の対向縁に電線Ｗが引っ掛かることに起因して、電線Ｗの被覆が切れたり、リテーナ７０Ａが雌側ハウジング１０から不用意に脱落したりするのが防止される。
【００５７】
また、雌側ハウジング１０が正逆反転した姿勢でかつロック部形成用凹部４８の内側にせり出した斜め姿勢をとった場合には、ハウジング本体１１が規制部５８と干渉してそれ以上の嵌合動作を規制するから、雌側ハウジング１０が正逆反転姿勢のままフード部４２内に進入する事態を回避できる。
【００５８】
そして、誤嵌合防止部２７は、ハウジング本体１１の下面のうちの互いに隣接するキャビティ１９間を仕切る隔壁２２と対応する位置に設けられているから、下段のキャビティ１９の内壁下面に接続されたランス２４が撓み変形しても、誤嵌合防止部２７の配設位置が変動することはなく、誤嵌合防止機能の信頼性が高められる。
【００５９】
また、誤嵌合防止部２７は、ロック受部１７が設けられた短辺部１３とは反対側の短辺部１３であるハウジング本体１１の下面に突出して設けられているから、雌側ハウジング１０が貫通孔１０１に挿通される際に、ハウジング本体１１の外面と貫通孔１０１の内面との間に形成された隙間を誤嵌合防止部２７の進入空間１０５（図８を参照）とすることができ、貫通孔１０１への挿通動作の円滑性が担保される。
【００６０】
また、ハウジング本体１１の外面には撓み状態にあるランス２４の先端部が進入可能な切欠部２６が開口して設けられているから、ランス２４の撓み空間を画成する壁を設けなくて済む分、雌側ハウジング１０の低背化が実現される。この場合、ランス２４の先端部が切欠部２６を通して露出するため、ランス２４の先端部が異物と干渉して折損・破損されるおそれがあるものの、本実施形態によれば、誤嵌合防止部２７が隣接する切欠部２６の間に配されているため、異物が誤嵌合防止部２７と当接することによってランス２４と干渉するのが回避される。
【００６１】
また、雌側ハウジング１０の後面には突板部３２が後方へ突出して設けられ、突板部３２はその後端側からホルダ９０内に挿入保持されるから、ホルダ９０に雌側ハウジング１０をその後面側から装着することができる。また、雌側ハウジング１０の後面とホルダ９０との間に突板部３２が設けられ、電線導出口９９がホルダ９０に開口して形成されているから、突板部３２及びホルダ９０内にて電線Ｗの取り回しスペースを十分に確保することができる。
【００６２】
また、電線Ｗが電線導出口９９とハウジング側電線導出口３７の両方から導出可能とされるため、突板部３２及びホルダ９０内における電線Ｗの無理曲げが規制され、電線Ｗの取り回しの自由度が高められる。また、突板部３２が第１板３３と第１板３３と交差する方向に連結されて自由端を有する第２板３４とからなるため、構成の簡素化が実現される。
【００６３】
また、ホルダ９０には、第２板３４の電線Ｗ側への内倒れを規制する内壁９６が設けられているから、突板部３２のホルダ９０への装着によって第２板３４が変形するのが回避され、雌側ハウジング１０のホルダ９０への組付信頼性が高められる。
【００６４】
さらに、小型化等の要請によって突板部３２の板厚寸法が小さいため、突板部３２のホルダ９０への装着過程で突板部３２が変形し、ホルダロック受部９２とホルダロック部３８とが正規のロック位置から位置ずれして、ロック信頼性が低下する可能性がある。しかるに本実施形態によれば、第２板３４の第２板収容凹部９３への挿入によって突板部３２の位置決めがなされ、その状態でホルダロック受部９２とホルダロック部３８との係止動作がなされるから、ホルダロック受部９２とホルダロック部３８とが正規のロック位置に確実に至らしめられ、ロック信頼性が高められる。
【００６５】
＜他の実施形態＞
本発明は上記記述及び図面によって説明した実施形態に限定されるものではなく、例えば次のような実施形態も本発明の技術的範囲に含まれる。  
（１）ハウジング本体の外面における対角上の角部が互いに異形状の面取り部とされていればよく、例えば、各角部がいずれも異形状とされてもよい。  
（２）面取り部は、直線状のテーパ面に限らず、曲線状のアール面であってもよい。  
（３）斜面部は、直線状のテーパ面に限らず、曲線状のアール面であってもよい。  
（４）リテーナ装着孔の開口縁には斜面部が設けられていなくてもよい。  
（５）規制部は１つだけ設けられるものであってもよい。  
（６）ハウジング本体の下面のうちのランスの先端部と対向する部位は切欠部として構成されずに閉止されていてもよい。  
（７）突板部は、第１板と１つの第２板とを交差連結することで背面視Ｌ字形に形成されてもよく、あるいは第１板と第２板のいずれか一方だけで構成されてもよい。さらに、突板部は、ハウジング側電線導出口側が開放された断面略半円弧状に形成されてもよい。  （８）実施形態１とは逆に、ホルダロック部が凹設され、ホルダロック受部が突設されるものであってもよい。  
（９）実施形態１とは逆に、ロック部が台状に突設され、ロック受部が前後方向にアーム状に突設されるものであってもよい。  
（１０）ホルダロック部は第２板に設けられてもよい。  
（１１）ホルダと取付対象とは別体であってもよい。  
（１２）電線導出口はホルダにおいて前後方向と交差する斜め方向に開口する形態であってもよい。  
（１３）電線導出口とハウジング側導出口とが前後方向に互いに離間して配されていてもよい。  
（１４）電線導出口とハウジング側導出口の全体が前後方向にラップして配されていてもよい。  
【図面の簡単な説明】
【００６６】
【図１】本発明の実施形態１に係り、雌側ハウジングがホルダに装着されるとともに、雌雄の両ハウジングが正規嵌合された状態を示す断面図である。
【図２】雌側ハウジングがホルダに装着される過程の状態を示す断面図である。
【図３】雌側ハウジングがホルダに装着された状態を示す断面図である。
【図４】第２板収容凹部内に第２板が嵌合状態で収容された状態を示す背面視方向の断面図である。
【図５】第２板収容凹部内に第２板が嵌合状態で収容された状態を示す平面視方向の断面図である。
【図６】雌側ハウジングが正逆反転姿勢をとってその嵌合動作が規制された状態を示す正面図である。
【図７】雌側ハウジングが正逆反転姿勢でかつ斜め姿勢をとってその嵌合動作が規制された状態を示す正面図である。
【図８】雌側ハウジングがパネルの貫通孔に挿通される状態を示す正面図である。
【図９】雌側ハウジングの斜視図である。
【図１０】雌側ハウジングの正面図である。
【図１１】誤嵌合防止部の配設位置のみ異なる別の雌側ハウジングの正面図である。
【図１２】雌側ハウジングの背面図である。
【図１３】リテーナを装着した雌側ハウジングの側面図である。
【図１４】リテーナを装着した雌側ハウジングの底面図である。
【図１５】リテーナが仮係止位置に保持された状態を示す雌側ハウジングのリテーナロック部の断面図である。
【図１６】リテーナが本係止位置に保持された状態を示す雌側ハウジングのリテーナロック部の断面図である。
【図１７】リテーナが仮係止位置に保持された状態を示す雌側ハウジングのキャビティ部分の断面図である。
【図１８】リテーナが本係止位置に保持された状態を示す雌側ハウジングのキャビティ部分の断面図である。
【図１９】雄側ハウジングの正面図である。
【図２０】ホルダの斜視図である。
【符号の説明】
【００６７】
１０、１０Ａ…雌側ハウジング
１１…ハウジング本体
１２…長辺部
１３…短辺部
１４…緩傾斜部（面取り部）
１５…急傾斜部（面取り部）
２２…隔壁
２４…ランス
２６…切欠部
２７…誤嵌合防止部
２８…リテーナ装着孔
３２…突板部
３３…第１板
３４…第２板
３７…ハウジング側電線導出口
３８…ホルダロック部
４０…雄側ハウジング
４２…フード部
４８…ロック部形成用凹部
５０…ロック部
５８…規制部
７０Ａ、７０Ｂ…リテーナ
７５…露出部
９０…ホルダ
９２…ホルダロック受部
９３…第２板収容凹部
９６…内壁（倒れ防止部）
９９…電線導出口
【図１】
2010129527.tif 000003
【図２】
2010129527.tif 000004
【図３】
2010129527.tif 000005
【図４】
2010129527.tif 000006
【図５】
2010129527.tif 000007
【図６】
2010129527.tif 000008
【図７】
2010129527.tif 000009
【図８】
2010129527.tif 000010
【図９】
2010129527.tif 000011
【図１０】
2010129527.tif 000012
【図１１】
2010129527.tif 000013
【図１２】
2010129527.tif 000014
【図１３】
2010129527.tif 000015
【図１４】
2010129527.tif 000016
【図１５】
2010129527.tif 000017
【図１６】
2010129527.tif 000018
【図１７】
2010129527.tif 000019
【図１８】
2010129527.tif 000020
【図１９】
2010129527.tif 000021
【図２０】
2010129527.tif 000022